(57)【特許請求の範囲】
【請求項１】
石油精製により生じた硫酸ピッチに約３倍の砂と無機セメント系固化剤と処理材を加えて攪拌混合して粘性を取り、２０ｍｍ以上の大きさの塊状物と、２０ｍｍ未満の大きさで、全体として油分が多い物に分離し、分離した塊状物は破砕して砂状としてセメント焼成の原料の混合材とし、油分の多い物はセメント焼成の助燃材にすることを特徴とする硫酸ピッチ処理方法。
【請求項２】
上記硫酸ピッチが固化している場合、熱を加えて流動性を付けてから約３倍の砂と無機セメント系固化剤と処理材を加えて攪拌混合して粘性を取る請求項１記載の硫酸ピッチ処理方法。
【請求項３】
石油精製により生じて地中に埋設した硫酸ピッチを掘り出し、掘り出した流動性を有する砂混じりの硫酸ピッチに、砂と無機セメント系固化剤と処理材を加えて攪拌混合して粘性を取り、２０ｍｍ以上の大きさの塊状物と、２０ｍｍ未満の大きさで、全体として油分が多い物に分離し、分離した塊状物は破砕して砂状としてセメント焼成の原料の混合材とし、油分の多い物はセメント焼成の助燃材にすることを特徴とする砂混じり硫酸ピッチの処理方法。
【発明の詳細な説明】
【０００１】
【発明の属する技術分野】
この発明は、石油精製により生じた硫酸ピッチや地中に埋設して砂混じりになった硫酸ピッチを無害化し、セメント材料等として有効に活用する硫酸ピッチの処理方法及び砂混じり硫酸ピッチの処理方法に関するものである。
【０００２】
【従来の技術】
例えば石油精製過程の洗浄工程で石油を洗うために硫酸が使用されている。この洗浄工程から大量の硫酸ピッチが残留物として排出される。このように石油精製過程等で大量に生じた硫酸ピッチは、排出者である事業者の責任で処理されているが、量が多いことと処理が困難であるため、処理処分体系がまだ十分に整備されていない。このため事業所構内に硫酸ピッチが多量に存在している。
【０００３】
【発明が解決しようとする課題】
このように事業所構内に存在する硫酸ピッチは、例えば図２の断面図に示すように硫酸ピッチの層１３が土砂１４を挾んで複数層に埋設されている。この層状に存在する硫酸ピッチ１３を処理処分するために、埋設個所から硫酸ピッチ１３を掘り起こして取り出すと、取り出した硫酸ピッチ１３に大量の土砂が混じってしまう。このため取り出した硫酸ピッチ１３から油や砂を分離してから焼却等の処理をしなくてはならないが、焼却処理をする量が膨大であり、処理が容易でなかった。このため処理設備が大がかりになるとともに処理に時間を要し、処理費用が膨大になるという短所があった。また、硫酸ピッチ１３から分離した油混じりの砂の処理も別個にする必要があり大量に発生する硫酸ピッチを迅速に処理することは困難であった。
【０００４】
この発明はかかる短所を解決するためになされたものであり、石油精製により生じた硫酸ピッチや土砂に埋設されて砂混じりになった硫酸ピッチを低価格で迅速に処理するとともに処理物を再利用することができる硫酸ピッチの処理方法及び砂混じり硫酸ピッチの処理方法を提供することを目的とするものである。
【０００５】
【課題を解決するための手段】
この発明に係る硫酸ピッチの処理方法は、石油精製により生じた硫酸ピッチに約３倍の砂と無機セメント系固化剤と処理材を加えて攪拌混合して粘性を取り、２０ｍｍ以上の大きさの塊状物と、２０ｍｍ未満の大きさで、全体として油分が多い物に分離し、分離した塊状物は破砕して砂状としてセメント焼成の原料の混合材とし、油分の多い物はセメント焼成の助燃材にすることを特徴とする。
【０００６】
上記硫酸ピッチが固化している場合、熱を加えて流動性を付けてから約３倍の砂と無機セメント系固化剤と処理材を加えて攪拌混合して粘性を取ると良い。
【０００７】
この発明に係る砂混じり硫酸ピッチの処理方法は、石油精製により生じて地中に埋設した硫酸ピッチを掘り出し、掘り出した流動性を有する砂混じりの硫酸ピッチに、砂と無機セメント系固化剤と処理材を加えて攪拌混合して粘性を取り、２０ｍｍ以上の大きさの塊状物と、２０ｍｍ未満の大きさで、全体として油分が多い物に分離し、分離した塊状物は破砕して砂状としてセメント焼成の原料の混合材とし、油分の多い物はセメント焼成の助燃材にすることを特徴とする。
【０００８】
【発明の実施の形態】
この発明の砂混じり硫酸ピッチの処理方法は、石油精製により生じた硫酸ピッチを埋設した地中を掘削して掘り出し、掘り出して砂混じりとなった硫酸ピッチに一定量の砂と無機セメント系固化剤及び消石灰等の処理材を加えて攪拌混合して粘性を取り、硫酸ピッチを中和して無害化して均一な混合物である安定処理土を形成する。この攪拌混合した混合物を例えば２０ｍｍ以下の篩にかけて塊状物と油分の多い物に分離する。この分離した塊状物は破砕して砂状としてセメント焼成の原料の混合材として利用する。また、分離した油分の多い物はセメント焼成の助燃材として利用する。
【０００９】
【実施例】
図１はこの発明の一実施例の処理手順を示す工程図である。図に示すように、砂混じり硫酸ピッチの処理方法は掘削工程１と攪拌混合工程２と分離工程３及び破砕工程４を有する。
【００１０】
上記のように構成された処理方法で地中に埋設された硫酸ピッチを処理する場合は、まず、掘削工程１で石油精製により生じた硫酸ピッチを埋設した地中を掘削して掘り出す。この掘り出して砂混じりとなった硫酸ピッチ５は流動性を有する。この砂混じり硫酸ピッチ５を攪拌混合工程２に送り、一定量の砂６と無機セメント系固化剤７及び消石灰等の処理材８を加えて攪拌混合して粘性を取り、硫酸ピッチを中和して無害化して均一な混合物である安定処理土を形成する。この攪拌混合した混合物を分離工程３に送り、例えば20ｍｍ以下の篩にかけて、２０ｍｍ以上の大きさの塊状物９と、２０ｍｍ未満の大きさで、全体として油分が多い物１０に分離する。この分離した塊状物９は破砕工程４に送り、破砕して砂状としてセメント焼成の原料の混合材１１として利用する。このセメント焼成の原料の混合材１１として利用するときに、破砕して砂状となった状態で組成を解析し、必要に応じて成分を調整しても良い。また、分離した油分の多い物１０はセメント焼成の助燃材１２として利用する。
【００１１】
このように砂混じり硫酸ピッチを直接利用した安定処理土をつくり、油等を含む廃土を無害化するから、処理設備を簡略化することができるとともに大量の砂混じり硫酸ピッチを効率良く処理することができる。また、処理した物をセメント焼成の原料の混合材１１やセメント焼成の助燃材１２として利用することにより、掘削した砂混じり硫酸ピッチを１００％利用することができるとともに２次公害が発生することを防止することができる。
【００１２】
上記実施例は地中に埋設して砂混じりになった硫酸ピッチを処理して有効に活用する場合について説明したが、石油精製により生じた硫酸ピッチも同様にして処理することができる。この場合、石油精製により生じて硫酸ピッチに約３倍の砂と無機セメント系固化剤と処理材を加えて攪拌混合して粘性を取り無害化すると良い。また、硫酸ピッチが固化している場合には約５０度程度の熱を加えて流動性を付けてから約３倍の砂と無機セメント系固化剤と処理材を加えて攪拌混合して粘性を取り無害化すると良い。
【００１３】
【発明の効果】
この発明は以上説明したように、石油精製により生じた硫酸ピッチに約３倍の砂と無機セメント系固化剤と処理材を加えて攪拌混合して粘性を取り無害化した後、、塊状物と油分の多い物に分離し、分離した塊状物は破砕して砂状としてセメント焼成の原料の混合材とし、油分の多い物はセメント焼成の助燃材にすることにより、簡単な処理で硫酸ピッチを無害化して１００％利用することができるとともに２次公害が発生することを防止することができる。
【００１４】
また、硫酸ピッチが固化している場合には熱を加えて流動性を付けてから砂と無機セメント系固化剤と処理材を加えて攪拌混合することにより確実に無害化することができる。
【００１５】
さらに、地中に埋設した硫酸ピッチを掘り出し、掘り出した流動性を有する砂混じりの硫酸ピッチに、砂と無機セメント系固化剤と処理材を加えて攪拌混合して粘性を取り無害化し、無害化した混合物を塊状物と油分の多い物に分離し、分離した塊状物は破砕して砂状としてセメント焼成の原料の混合材とし、油分の多い物はセメント焼成の助燃材にすることにより、掘削した膨大な量の砂混じり硫酸ピッチを簡単な処理で無害化して効率良く利用することができ、処理費用を低減するとともに公害が発生することを確実に防止することができる。
【図面の簡単な説明】
【図１】この発明の実施例の処理手順を示す工程図である。
【図２】地中に堆積された硫酸ピッチを示す断面図である。
【符号の説明】
掘削工程１と攪拌混合工程２と分離工程３及び破砕工程４を有する。
【００１６】
１；掘削工程、２；攪拌混合工程、３；分離工程、４；破砕工程、
５；砂混じり硫酸ピッチ、６；砂、７；無機セメント系固化剤、
８；処理材、９；塊状物、１０；油分の多い物、
１１；セメント焼成の原料の混合材、１２；セメント焼成の助燃材。
【図１】
0003609337.tif 000002
【図２】
0003609337.tif 000003